(57)【要約】【課題】重量化を招くことなく、また、外観を損ねることなく、結束糸による十分な結束力を効率的且つ効果的に得ることができ、所望の結束形態を維持できるとともに、表面が滑りやすい釣針を用いる場合でも結束糸の巻回作業がし易い釣針及び釣針結束方法を提供する。【解決手段】本発明の釣針４は、軸部４ａを沿わせた状態で錨状に配置される複数の構成釣針４Ａ，４Ｂ，４Ｃと、構成釣針の軸部４ａの周囲に結束糸１２を巻き付けて成る結束部１０とを備える。結束部１０は、結束糸１２を軸部４ａの周囲に一端側３０から他端側３１へ向けて螺旋状に巻き付けて形成される第１の疎巻き巻回層１０Ａと、結束糸１２を第１の疎巻き巻回層１９Ａ上に重ねて他端側から一端側へ向けて隙間を埋めつつ螺旋状に巻き付けて形成される第２の疎巻き巻回層１０Ｂと、結束糸を第２の疎巻き巻回層１０Ｂ上に第１及び第２の疎巻き巻回層よりも密に巻き付けて形成される密巻き巻回層１０Ｃとを有する。【選択図】  図５
2018139512.tif 000002
【特許請求の範囲】
【請求項１】
軸部を沿わせた状態で所定の形態に配置される複数の構成釣針と、
前記複数の構成釣針の前記軸部の周囲にこれらの軸部を束ねるように結束糸を巻き付けて成る結束部と、
を備え、
前記結束部は、
前記構成釣針の前記軸部の周囲に該軸部が部分的に露出するように前記結束糸を隙間を隔てて前記軸部の一端側から他端側へ向けて螺旋状に巻き付けることにより形成される第１の疎巻き巻回層と、
前記他端側まで巻かれた前記結束糸を折り返すように前記第１の疎巻き巻回層上に重ねて前記他端側から前記一端側へ向けて前記隙間を埋めつつ螺旋状に巻き付けることにより形成される第２の疎巻き巻回層と、
前記結束糸を前記第２の疎巻き巻回層上に直接に或いは他の巻回層を介在させて前記第１及び第２の疎巻き巻回層よりも密に巻き付けることにより形成される密巻き巻回層と、
を有することを特徴とする釣針。
【請求項２】
前記第１及び第２の疎巻き巻回層と前記密巻き巻回層とが前記構成釣針の前記軸部の軸長の少なくとも６０％以上の範囲にわたって設けられることを特徴とする請求項１に記載の釣針。
【請求項３】
上層の巻回層ほど前記結束糸の巻回数が多いことを特徴とする請求項１又は請求項２に記載の釣針。
【請求項４】
前記結束糸の巻回方向と前記構成釣針の前記軸部の軸方向とが成す巻回角度は、上層の巻回層ほど小さいことを特徴とする請求項１から３のいずれか一項に記載の釣針。
【請求項５】
前記第１及び第２の疎巻き巻回層を形成する前記結束糸は、巻回層全体にわたってほぼ一定のピッチで巻回されることを特徴とする請求項１から４のいずれか一項に記載の釣針。
【請求項６】
上層の巻回層ほど前記結束糸の巻回ピッチが小さいことを特徴とする請求項５に記載の釣針。
【請求項７】
上層の巻回層ほど前記結束糸の巻き付け張力が大きいことを特徴とする請求項１から６のいずれか一項に記載の釣針。
【請求項８】
前記結束糸の外径が前記構成釣針の前記軸部の外径よりも小さいことを特徴とする請求項１から７のいずれか一項に記載の釣針。
【請求項９】
複数本の釣針のそれぞれの軸部を沿わせた状態でこれらの釣針を所定の形態に配置させた後、前記軸部の周囲にこれらの軸部を束ねるように結束糸を巻き付けることによって前記複数の釣針を結束する釣針結束方法であって、
前記複数の釣針の前記軸部の周囲に該軸部が部分的に露出するように前記結束糸を隙間を隔てて前記軸部の一端側から他端側へ向けて螺旋状に巻き付けることにより第１の疎巻き巻回層を形成するステップと、
前記他端側まで巻かれた前記結束糸を折り返すように前記第１の疎巻き巻回層上に重ねて前記他端側から前記一端側へ向けて前記隙間を埋めつつ螺旋状に巻き付けることにより第２の疎巻き巻回層を形成するステップと、
前記結束糸を前記第２の疎巻き巻回層上に直接に或いは他の巻回層を介在させて前記第１及び第２の疎巻き巻回層よりも密に巻き付けることにより密巻き巻回層を形成するステップと、
を含む釣針結束方法。
【発明の詳細な説明】
【技術分野】
【０００１】
本発明は、複数本の釣針（構成釣針）を結束糸で結束して成る釣針及び釣針結束方法に関する。
【背景技術】
【０００２】
従来から、複数本の釣針（構成釣針）を結束糸で結束して成る釣針（掛け針）が知られており、そのような釣針は様々な対象魚の釣りで使用されている。例えば、鮎釣りでは、中心に位置するハリスに２〜４本の釣針のそれぞれの軸部を沿わせた状態でこれらの釣針を錨状に配置させた後、前記軸部に根巻き糸（結束糸）を巻き付けることによりこれらの釣針を結束した、いわゆるイカリ針が用いられる。また、釣針の軸部同士を糸ではなく溶接や蝋付けによって結束するものもあるが、同様な形態の釣針として、フグカットウ針や、ルアー用のトレブルフックなども知られている。
【０００３】
ところで、複数本の釣針を糸で結束して成るこのような釣針は、根巻き糸の巻き付け強度が弱く、結束状態が不完全であると、結束されたそれぞれの釣針が外力（例えば、鮎が針に掛かった場合など）によって軸周り（周方向）に回転して、等間隔を維持する当初の錨状形態から一方側に片寄った歪な形態へと変形したり、或いは、釣針が抜け落ちてしまうなどといった不具合が生じ得る。
【０００４】
そのため、こうした事態を防止するべく、従来から様々な工夫が施されている。例えば、特許文献１及び特許文献２には、根巻き糸の巻回回数を増やして釣針の結束力を高めることが開示されている。また、特許文献３及び特許文献４には、根巻き糸が巻回される釣針の軸部の表面に溝や凹凸を設けて、根巻き糸の緩みを防止することが開示されている。
【先行技術文献】
【特許文献】
【０００５】
【特許文献１】実公平３−１３１８８号
【特許文献２】特開２００３−２５０４０７号
【特許文献３】実公昭６２−２７１０５号
【特許文献４】実用新案登録第２５９３８９３号
【発明の概要】
【発明が解決しようとする課題】
【０００６】
しかしながら、特許文献１及び特許文献２に開示されるように、根巻き糸の巻回回数を単に増やすだけでは、巻回形態に規則性もなく、無駄な隙間や重なりも生じることから、十分な結束力を効率的且つ効果的に得ることが難しい。また、巻回回数が増えるにつれて釣針の軸部も太くなることから、外観上も見栄えが悪くなる。
【０００７】
これに対し、特許文献３及び特許文献４に開示されるように釣針の軸部の表面に溝や凹凸を設ければ、根巻き糸の緩みを防止でき、結束力をある程度維持できるが、フッキング率を高めるためにニッケルめっき、フッ素めっき、或いは、他の滑りを良好にする加工を表面に施した摩擦抵抗が極めて小さい釣針を用いる場合には、滑りが良すぎることから、イカリ針を綺麗に組んで根巻き糸を巻き付けること自体が困難となり、軸部表面の溝や凹凸の存在下でさえ根巻き糸が緩み易くなる。
【０００８】
また、根巻き糸による結束力を高めるために、根巻き糸を釣針の軸部に密に巻回することも考えられるが、釣針の軸部に根巻き糸を直に密巻きするだけでは、あたかも釣針の軸部に糸管（筒状の巻回糸）を被せただけのような状態となって、根巻き糸が互いに巻き付き合うことによる滑り止め効果が得られず、その状態のまま巻回部分を接着剤で固めると、糸管全体が軸方向に滑り易く、特にフッ素めっき加工を施した釣針など、表面滑りが良好な釣針を用いる場合には糸管全体がそのまま軸部から外れるような事態も懸念される。
【０００９】
また、根巻き糸の巻き始めの端部を仮止めするために根巻き糸を一方向に螺旋状に疎巻きしただけの巻回部や、釣針の軸部の一部に瘤状に巻回した部分を形成してその上から更に密巻きすることも行なわれるが、その場合にも、密巻き層の下地となる層がしっかり形成されていないことから、前述した密巻きだけの場合と同様な問題が生じ易い。また、このような問題が生じないように接着剤の塗布量を多くして固定強度を上げることも一般に試みられるが、接着剤の塗布量を多くすると、巻回数を増大させた場合と同様に、外観上見栄えが悪くなるだけでなく、結束針全体の重量も増大し、実釣時に水の抵抗を受け易くなる（水の抵抗が大きくなる）。
【００１０】
本発明は、上記した問題に着目してなされたものであり、重量化を招くことなく、また、外観を損ねることなく、結束糸による十分な結束力を効率的且つ効果的に得ることができ、所望の結束形態を維持できるとともに、表面が滑りやすい釣針を用いる場合でも結束糸の巻回作業がし易い釣針及び釣針結束方法を提供することを目的とする。
【課題を解決するための手段】
【００１１】
上記した目的を達成するために、本発明の釣針は、軸部を沿わせた状態で所定の形態に配置される複数の構成釣針と、前記複数の構成釣針の前記軸部の周囲にこれらの軸部を束ねるように結束糸を巻き付けて成る結束部とを備え、前記結束部は、前記構成釣針の前記軸部の周囲に該軸部が部分的に露出するように前記結束糸を隙間を隔てて前記軸部の一端側から他端側へ向けて螺旋状に巻き付けることにより形成される第１の疎巻き巻回層と、前記他端側まで巻かれた前記結束糸を折り返すように前記第１の疎巻き巻回層上に重ねて前記他端側から前記一端側へ向けて前記隙間を埋めつつ螺旋状に巻き付けることにより形成される第２の疎巻き巻回層と、前記結束糸を前記第２の疎巻き巻回層上に直接に或いは他の巻回層を介在させて前記第１及び第２の疎巻き巻回層よりも密に巻き付けることにより形成される密巻き巻回層とを有することを特徴とする。
【００１２】
上記構成によれば、第１の疎巻き巻回層上にこの第１の疎巻き巻回層の隙間を埋めるように第２の疎巻き巻回層が両巻回層の結束糸同士を交差させつつ積層されるため、反対方向に巻回されたそれぞれの巻回層の結束糸が互いに交差、重合しながら巻き付き合って滑り止め効果が得られる。言い換えると、巻回開始から初めの折り返しまで（往路）に巻回された結束糸間の隙間に折り返した復路の結束糸が反対方向に巻回されながら入り込んで軸部を結束して、往復合わせた両巻回方向で直接軸部に接触した状態で釣針の軸部を締め付けるため、軸部を強く結束でき、ストッパが効果的に利くようになる。また、第２の疎巻き巻回層によって軸部が部分的に露出した隙間が埋められ少なくなる。このとき、隙間が残っていてもよいが、完全に埋めることが好ましい。また、上記構成では、これに加えて、これらの交差した疎巻き巻回層上に更に密巻き巻回層が配置され、結束糸が互いに巻き付き合う滑り難い疎巻き巻回層が外側から更に押さえ付けられる結果となる。また、第１の疎巻き巻回層及び第２の疎巻き巻回層の結束糸の交差した部分が突出して、疎巻き巻回層が釣針の軸部の周りに凹凸状に形成されるとともに、密巻き巻回層の結束糸がその凹凸間に入り又は食い込んで疎巻き巻回層の釣針の軸部方向の移動を防止するため、結束糸による十分な結束力を効率的且つ効果的に得ることができ、結束部の固定強度が従来よりも飛躍的に向上する（構成釣針の軸方向及び周方向の移動が抑止され、所望の結束形態を維持できる）。この場合、密巻き巻回層は、第１及び第２の疎巻き巻回層よりもピッチを密にして巻回され、好ましくは構成釣針の軸部が露出した部分が全て埋められる。更に好ましくは、密巻き巻回層は、隙間なく密に巻回されると、よりムラが少なく疎巻き巻回層が外側から押さえ付けられる。
【００１３】
したがって、従来のように接着剤を多量に塗布する必要がなく、そのため、重量化を招かずに済み、また、外観を損ねることもない。また、前述した滑り止め効果により、表面の摩擦抵抗が極めて小さい釣針（構成釣針）を用いた場合であっても、結束糸の緩みや釣針の抜けを招くことがなく、結束糸の巻回作業に手間取ることもない。なお、本願の「釣針の軸部」とは、軸部の先端（自由端）から湾曲部（フトコロ、ベンド部）の手前までの間の直線状に形成された部分で、チモトやアイがある場合にはこれを除いた部分をいう。
【００１４】
なお、上記構成では、上層の巻回層ほど結束糸の巻回数が多いことが好ましい。そのようにすると、結束力を効果的且つ効率的に高めることができる。また、この場合、結束糸の巻回方向と構成釣針の軸部の軸方向とが成す巻回角度は、上層の巻回層ほど小さいことが好ましい。そのようにすると、往復で巻回回数が増えるにつれて巻回角度が小さくなるため、結束糸の締め付けによる力の方向が徐々に軸部の中心へ向けられていくことになり、結束糸がずれ難く、強い結束強度が得られる。なお、ここで、結束糸の「巻回方向」とは、釣針の軸部に巻き付く結束糸が軸部の外表面上で延在する方向のことである。
【００１５】
また、上記構成において、第１及び第２の疎巻き巻回層を形成する結束糸は、巻回層全体にわたってほぼ一定のピッチで巻回されることが好ましい。このように、ほぼ均等なピッチで結束糸を巻回することにより、結束強度にムラがなく、また、交差した部分が規則的に配されるため、締め付け力が軸部全体にわたって均等に及ぶようになる。また、この場合、上層の巻回層ほど結束糸の巻回ピッチが小さいことが好ましい。そのようにすると、巻回した結束糸間の隙間が徐々に埋められて密巻き巻回層を均一に巻き易くなり、巻回張力のムラが小さくなるとともに、下層の疎巻き巻回層が動いてしまうことを効果的に防止することができ、巻き上がり状態も外観上美しくすることができる。また、上記構成では、上層の巻回層ほど結束糸の巻回張力が大きいことが好ましい。この場合には、結束糸のずれを防止して巻回できるため、結束力が強くなる。なお、第１及び第２の疎巻き巻回層と密巻き巻回層は、釣針の軸部の一端側から他端側まで巻回され、このとき、前記各巻回層は少なくとも軸部全長（軸長）の６０％以上の範囲にわたって巻回されることで、釣針の軸部をムラなく結束する効果を有する層を形成することができる。
【００１６】
また、上記構成では、第２の疎巻き巻回層と密巻き巻回層との間に他の巻回層（疎巻き巻回層及び／又は密巻き巻回層）が介在してもよい。また、上記構成において、結束糸の巻回作業は、釣針を手で直接に把持して行ってもよく、或いは、結束専用のバイスを用いて行なってもよい。また、上記構成では、釣針の軸部の一端側が釣針のフトコロ側（ベンド側）に対応し、他端側が軸部の自由端（例えばチモト）側であってもよく、或いは、その逆であってもよい。また、上記構成では、結束部に接着剤が塗布されていても構わない。その場合には、構成釣針の軸部同士が互いに離れるように枝分かれする釣針の根元部に接着剤溜まりを設けることが好ましい。そのようにすると、接着剤溜まりによって各構成釣針の軸部周り（周方向）の回転を規制できる。
【００１７】
また、上記構成において、結束糸を形成する材料としては、合成樹脂モノフィラメントが好ましく、ナイロン、フロロカーボンなどの伸縮性を有するものが特に好ましい。その他、ポリエチレン、ポリウレタンなどの合成素材の他、天然素材も上げることができるが、これらに限定されず、更に、モノフィラメントに限らず、マルチフィラメントであってもよい。また、上記構成において、結束されるべき釣針の本数は、２本以上であれば、何本でもよい。更に、結束糸の巻回角度や巻回ピッチは、各巻回層内で部分的に変えられても構わない。
【００１８】
なお、本発明は、前述した特徴を有する釣糸結束方法も提供する。
【発明の効果】
【００１９】
本発明によれば、重量化を招くことなく、また、外観を損ねることなく、結束糸による十分な結束力を効率的且つ効果的に得ることができ、所望の結束形態を維持できるとともに、表面が滑りやすい釣針を用いる場合でも結束糸の巻回作業がし易い釣針及び釣針結束方法が得られる。
【図面の簡単な説明】
【００２０】
【図１】（ａ）は本発明の一実施形態に係る釣針の結束前の分解斜視図、（ｂ）はこの釣針の結束後の斜視図である。
【図２】（ａ）本発明の一実施形態に係る釣針をバイスを用いて結束する結束方法における第１の段階（第１の疎巻き巻回層の形成段階）を示す斜視図、（ｂ）は第１の疎巻き巻回層を形成する結束糸の巻回状態を模式的に示す図、（ｃ）は結束糸の巻回方向を矢印で示す線図である。
【図３】（ａ）本発明の一実施形態に係る釣針をバイスを用いて結束する結束方法における第２の段階（第２の疎巻き巻回層の形成段階）を示す斜視図、（ｂ）は第２の疎巻き巻回層を形成する結束糸の巻回状態を模式的に示す図、（ｃ）は結束糸の巻回方向を矢印で示す線図である。
【図４】（ａ）本発明の一実施形態に係る釣針をバイスを用いて結束する結束方法における第３の段階（密巻き巻回層の形成段階）を示す斜視図、（ｂ）は密巻き巻回層を形成する結束糸の巻回状態を模式的に示す図、（ｃ）は結束糸の巻回方向を矢印で示す線図である。
【図５】（ａ）〜（ｉ）は、本発明の一実施形態に係る釣針をバイスを用いて形成する一連の作業の流れを示す部分概略斜視図である。
【発明を実施するための形態】
【００２１】
以下、図１〜図５を参照して本発明に係る釣針の一実施形態について説明する。
図１に示されるように、本実施形態の釣針４（例えば、鮎釣りのイカリ針）は、中心に位置する釣糸（ハリス）２に複数本（本実施形態では３本）の釣針（以下、釣針を構成する構成釣針という）４Ａ，４Ｂ，４Ｃのそれぞれの軸部４ａを沿わせた状態でこれらの構成釣針４Ａ，４Ｂ，４Ｃを所定の形態（本実施形態では、放射状を成す錨の形態）に配置させた後、軸部４ａの周囲にこれらの軸部４ａを束ねるように結束糸（根巻き糸）１２を巻き付けることによって形成される。すなわち、釣針４は複数の構成釣針４Ａ，４Ｂ，４Ｃを結束して成る。したがって、釣針４は、複数の構成釣針４Ａ，４Ｂ，４Ｃと、これらの構成釣針４Ａ，４Ｂ，４Ｃの軸部４ａの周囲にこれらの軸部４ａを束ねるように結束糸１２を巻き付けて成る結束部１０とを備える。また、各構成釣針４Ａ，４Ｂ，４Ｃは、自由端（チモトがある場合には、そのチモト）を有する直線状に形成された軸部４ａと、軸部４ａからフック状に湾曲するように延在するフトコロ４ｃと、フトコロ４ｃの先端に尖って形成される針先４ｂとにより構成される。したがって、結束糸１２が巻回される軸部４ａは、前記自由端からフック状に湾曲するフトコロ４ｃの手前までの部分となる。
【００２２】
なお、結束糸１２を形成する材料としては、例えば、ナイロン、フロロカーボン、ポリエチレン、ポリウレタンなどの合成素材（合成樹脂）の他、天然素材も上げることができるが、これらに限定されない。また、釣糸（ハリス）２は、ナイロン、フロロカーボン等により形成されるが、省略してもよく、材料もこれらに限定されない。更に、構成釣針４Ａ，４Ｂ，４Ｃは、例えば鉄、鋼、ステンレス等の金属によって形成される。また、上記構成において、結束されるべき構成釣針の本数は、２本以上であれば、何本でもよく、また、結束糸１２の外径（例えば、鮎イカリ針の場合には０．０４ｍｍ〜０．２０ｍｍ）は、構成釣針４Ａ，４Ｂ，４Ｃの軸部４ａの外径（例えば、鮎イカリ針の場合には０．３ｍｍ〜０．８ｍｍ）よりも小さいことが好ましい。
【００２３】
図２〜図４には、結束糸１２による結束部１０の巻回層構造が段階的に示されている。結束部１０は、複数の構成釣針４Ａ，４Ｂ，４Ｃの軸部４ａの周囲に直接にこれらの軸部４ａを束ねるように結束糸１２を巻き付けて成る図２に示される第１の疎巻き巻回層１０Ａと、第１の疎巻き巻回層１０Ａ上に結束糸１２を巻き付けて成る図３に示される第２の疎巻き巻回層１０Ｂと、第２の疎巻き巻回層１０Ｂ上に直接に或いは他の巻回層（疎巻き巻回層及び／又は密巻き巻回層）を介在させて（本実施形態では、直接に）結束糸１２を巻き付けて成る図４に示される密巻き巻回層１０Ｃとによって積層構造に形成される。
【００２４】
具体的に、第１の疎巻き巻回層１０Ａは、図２に示されるように、構成釣針４Ａ，４Ｂ，４Ｃのそれぞれの軸部４ａを揃えて添設したその周囲に該軸部４ａが部分的に露出するように結束糸１２を隙間Ｓを隔てて軸部４ａの一端側３０から他端側３１へ向けて螺旋状に巻き付けることにより形成される。本実施形態では、バイス５０を用いて、すなわち、バイス５０の本体５０Ａに例えば１２０°の角度間隔を隔てて設けられる幅調整可能な３つの針挟持溝５０ａにそれぞれ構成釣針４Ａ，４Ｂ，４Ｃを挟持させて軸部４ａを束ねるように配置固定することにより結束作業が行なわれるため、軸部４ａの自由端に対応する一端側３０からフトコロ４ｃ側（例えば、軸部４ａとフトコロ４ｃとの間の境界部）に対応する他端側３１へ向けて結束糸１２が巻回されるが、例えばバイス５０を用いることなく構成釣針４Ａ，４Ｂ，４Ｃを手で直接に把持して結束作業を行なう場合などにおいては、結束糸１２が軸部４ａの他端側３１から一端側３０へ向けて巻回されることにより第１の疎巻き巻回層１０Ａが形成されてもよい。
【００２５】
また、このような第１の疎巻き巻回層１０Ａの形成において、軸部４ａの一端側３０から他端側３１の軸部４ａの長手方向６０％以上の範囲（軸部４ａの軸長の少なくとも６０％以上の範囲）にわたって結束糸１２が巻回されていればよいが、結束糸１２は、軸部４ａの一端側３０から他端側３１までに至る全体（例えば、軸部４ａの直線部分の全体）にわたって、図２の（ｃ）に示される矢印の巻回方向で軸部４ａの周囲に約１０回巻き程度巻き付けられる（巻回数が約１０）ことが好ましい。また、結束糸１２は、ナイロン０．３号（外径０．０９ｍｍ）を用いて、その巻回ピッチＰ１（図２の（ｂ）参照）が例えば０．５ｍｍ〜２．０ｍｍであることが好ましく、更に、軸部４ａを露出させる隙間Ｓの間隔Ｌ１（図２の（ｂ）参照）は例えば０．５ｍｍ〜２．０ｍｍであることが好ましい。
【００２６】
なお、第１の疎巻き巻回層１０Ａを形成する結束糸１２は、その巻回層１０Ａ全体にわたってほぼ一定のピッチで巻回されることが好ましく、また、結束糸１２の巻回方向と結束部１０の中心軸線Ｏ（又は構成釣針４Ａ，４Ｂ，４Ｃの軸部４ａの中心軸線）の方向とが成す巻回角度αは、例えば１１０°〜１３０°であることが好ましい。ここで、結束糸１２の「巻回方向」とは、構成釣針４Ａ，４Ｂ，４Ｃの軸部４ａに巻き付く結束糸１２が軸部４ａの外表面上で延在する方向Ｑ（図２の（ｂ）参照）のことである。しかしながら、巻回作業が人の手によるため、結束糸１２の巻回角度や巻回ピッチは、巻回層１０Ａ内で部分的に変えられてもよいし、一方向に巻回している結束糸１２が部分的に交差しても構わない。
【００２７】
また、第２の疎巻き巻回層１０Ｂは、図３に示されるように、軸部４ａの他端側３１まで巻かれた結束糸１２を折り返すように第１の疎巻き巻回層１０Ａ上に重ねて他端側３１から一端側３０へ向けて前記隙間Ｓ（第１の疎巻き巻回層１０Ａの隙間Ｓ）を埋めつつ隙間Ｓ’を隔てて螺旋状に巻き付けることにより形成される。この場合、結束糸１２は、軸部４ａの他端側３１から一端側３０までの軸部４ａの全長の６０％以上の範囲にわたって巻回されていればよいが、軸部４ａの他端側３１から一端側３０までに至る全体（例えば、軸部４ａの直線部分の全体）にわたって第１の疎巻き巻回層１０Ａの結束糸１２と交差するように、図３の（ｃ）に示される矢印の巻回方向（第１の疎巻き巻回層１０Ａの巻回方向と反対の巻回方向）において、下層の第１の疎巻き巻回層１０Ａよりも多い巻回数で、例えば約２０巻回程度で、第１の疎巻き巻回層１０Ａの場合よりも大きい巻き付け張力により軸部４ａの周囲に巻き付けられることが好ましい。また、その巻回ピッチＰ２（図３の（ｂ）参照）は、第１の疎巻き巻回層１０ＡのピッチＰ１よりも小さいピッチ、例えば０．３ｍｍ〜１．５ｍｍであることが好ましく、更に、第１の疎巻き巻回層１０Ａを露出させる隙間Ｓ’の間隔Ｌ２（図３の（ｂ）参照）は、巻回数の増大に伴って第１の疎巻き巻回層１０Ａの間隔Ｌ１よりも必然的に小さく、例えば０．３ｍｍ〜１．５ｍｍであることが好ましい。
【００２８】
なお、この第２の疎巻き巻回層１０Ｂの場合も、結束糸１２は、第２の疎巻き巻回層１０Ｂの全体にわたってほぼ一定のピッチで巻回されることが好ましく、また、結束糸１２の巻回方向と結束部１０の中心軸線Ｏ（又は構成釣針４Ａ，４Ｂ，４Ｃの軸部４ａの中心軸線）の方向とが成す巻回角度βは、第１の疎巻き巻回層１０Ａの巻回角度αよりも小さく、例えば１００°〜１２０°であること（第１の疎巻き巻回層１０Ａに対して交差する関係となっていること）が好ましい。しかしながら、結束糸１２の巻回角度や巻回ピッチは、巻回層１０Ｂ内で部分的に変えられてもよいし、一方向に巻回している結束糸１２が部分的に交差してもよく、更に、第１の疎巻き巻回層１０Ａの隙間Ｓに入り込んでいても構わない。
【００２９】
更に、密巻き巻回層１０Ｃは、図４に示されるように、結束糸１２を第２の疎巻き巻回層上に直接に或いは他の巻回層（疎巻き巻回層及び／又は密巻き巻回層）を介在させて（本実施形態では、直接に）隙間なく密に巻き付けることにより形成される。この場合、結束糸１２は、軸部４ａの一端側３０から他端側３１までに至る軸部４ａの少なくとも６０％以上の範囲にわたって巻回されていれば軸部４ａのほぼ全体に締め付け力が及ぶが、軸部４ａの全体（例えば、軸部４ａの直線部分の全体）にわたって第１の疎巻き巻回層１０Ａ及び第２の疎巻き巻回層１０Ｂを外側から押さえ付けるように、図４（ｃ）に示される矢印の巻回方向（第２の疎巻き巻回層１０Ｂの巻回方向と反対の巻回方向；第１の疎巻き巻回層１０Ａの巻回方向と同じ巻回方向）において、下層の第２の疎巻き巻回層１０Ｂよりも多い巻回数で、例えば約３０巻回程度で、第２の疎巻き巻回層１０Ｂの場合よりも大きい巻き付け張力により軸部４ａの周囲に巻き付けられることが好ましい。また、その巻回ピッチＰ３（図４の（ｂ）参照）は、第２の疎巻き巻回層１０ＢのピッチＰ２よりも小さいピッチ、例えば０．２ｍｍ〜１．０ｍｍであることが好ましい。
【００３０】
なお、この密巻き巻回層１０Ｃの場合も、結束糸１２は、巻回層１０Ｃ全体にわたってほぼ一定のピッチで巻回されることが好ましく、更に、結束糸１２は、第１の疎巻き巻回層１０Ａと第２の疎巻き巻回層１０Ｂとを覆って隙間なく巻回されることが好ましい。また、結束糸１２の巻回方向と結束部１０の中心軸線Ｏ（又は構成釣針４Ａ，４Ｂ，４Ｃの軸部４ａの中心軸線）の方向とが成す巻回角度γは、第２の疎巻き巻回層１０Ｂの巻回角度βよりも小さく、例えば９０°〜１１０°であること（第２の疎巻き巻回層１０Ｂに対して交差する関係となっていること）が好ましい。しかしながら、結束糸１２の巻回角度や巻回ピッチは、巻回層１０Ｃ内で部分的に変えられてもよいし、一方向に巻回している結束糸１２同士が部分的に交差してもよく、更に、第１の疎巻き巻回層１０Ａや第２の疎巻き巻回層１０Ｂの結束糸１２の間に部分的に入り込んでいても構わない。
【００３１】
このような結束糸１２の巻回作業は、本実施形態のように結束専用のバイス５０を用いて行なうことが好ましいが、構成釣針４Ａ，４Ｂ，４Ｃを手で直接に把持して行ってもよい。また、このような結束糸１２の巻回作業において、第１の疎巻き巻回層１０Ａを、他端側３１から巻回し始めて形成する場合、第２の疎巻き巻回層１０Ｂの折り返しは一端側３０となり、第３の密巻き巻回層１０Ｃの折り返しは他端側３１となる。
バイス５０を用いて前述のような釣針４を形成する形成方法の一例の一連の作業の流れが図５に具体的に示される。以下、これについて説明する。
【００３２】
まず、図５の（ａ）に示されるように、前述したバイス５０の本体５０Ａの針挟持溝５０ａにそれぞれ構成釣針４Ａ，４Ｂ，４Ｃを挟持させて軸部４ａを束ねるように配置固定する。続いて、図５の（ｂ）に示されるように、結束糸保持体７０に保持された結束糸１２を前述したように構成釣針４Ａ，４Ｂ，４Ｃの軸部４ａの周囲に軸部４ａの一端側３０から他端側３１へ向けて螺旋状に１０回ほど巻き付けて第１の疎巻き巻回層１０Ａを形成する。その後、図５の（ｃ）に示されるように、結束糸１２を折り返して前述したごとく第１の疎巻き巻回層１０Ａ上に結束糸１２を先ほどよりやや密に２０回ほど巻き付けて第２の疎巻き巻回層１０Ｂを形成する。更に、図５の（ｄ）に示されるように、結束糸１２を再び折り返して前述したごとく第２の疎巻き巻回層１０Ｂ上に結束糸１２を隙間なく密に３０回ほど巻き付けて密巻き巻回層１０Ｃを形成する。
【００３３】
続いて、図５の（ｅ）に示されるように、巻回層１０Ａ，１０Ｂ，１０Ｃにより結束された釣針４（構成釣針４Ａ，４Ｂ，４Ｃ）をバイス５０から取り外し、構成釣針４Ａ，４Ｂ，４Ｃの軸部４ａ同士が湾曲して互いに離れるように枝分かれする釣針４のフトコロ側の根元部（図中に矢印Ｘにより示される円形部分）の周りに結束糸１２を例えば３回ほど巻き付ける。その後、図５の（ｆ）に示されるように、結束糸１２をそれぞれの構成釣針４Ａ，４Ｂ，４Ｃに１回ずつ巻き付けながら２周する。そして更に、図５の（ｇ）に示されるように、各構成釣針４Ａ，４Ｂ，４Ｃに結束糸１２によりハーフヒッチ（交互編み込み）を１回ずつ施して、結束糸１２を切る。
【００３４】
そして、最後に、図５の（ｈ）に示されるように、結束部１０（巻回層１０Ａ，１０Ｂ，１０Ｃ）の表面に接着剤９０を塗布して結束部１０を固め、図５の（ｉ）に示されるように例えば１日ほど接着剤９０を乾燥させる。このとき、接着剤９０は、構成釣針４Ａ，４Ｂ，４Ｃの軸部４ａと結束糸１２と間の隙間に入り込んで結合糸１２同士を固着させる。また、この接着剤９０の塗布時には、釣針４を軸部４ａの自由端側が上方になるように保持し、自由端側（上方）からフトコロ側（下方）に結束部１０に沿って流し入れるようにし、構成釣針４Ａ，４Ｂ，４Ｃの軸部４ａ同士が互いに離れるように枝分かれする釣針４の根元部に接着剤溜まり６０（図１の（ｂ）も参照）が形成されるようにすることが好ましい。そのようにすると、接着剤溜まり６０によって各構成釣針４Ａ，４Ｂ，４Ｃの軸部４ａ周り（周方向）の回転を規制できる。
【００３５】
以上説明したように、本実施形態によれば、第１の疎巻き巻回層１０Ａ上にこの第１の疎巻き巻回層１０Ａの隙間Ｓを埋めるように第２の疎巻き巻回層１０Ｂが両巻回層１０Ａ，１０Ｂの結束糸１２同士を交差させつつ積層されるため、それぞれの巻回層１０Ａ，１０Ｂの結束糸１２が互いに巻き付き合って滑り止め効果が得られる。言い換えると、巻回開始から初めの折り返しまで（往路）に巻回された結束糸１２間の隙間Ｓに折り返した復路の結束糸１２が反対方向に巻回されながら入り込んで軸部４ａを結束して、往復合わせた両巻回方向で構成釣針４Ａ，４Ｂ，４Ｃの軸部を締め付けるため、軸部４ａを強く結束でき、ストッパが効果的に利くようになる。しかも、本実施形態では、これらの粗く巻回され且つ交差することにより凹凸状に形成した疎巻き巻回層１０Ａ，１０Ｂ上に更に密巻き巻回層１０Ｃが配置され、結束糸１２が互いに巻き付き合う滑り難い疎巻き巻回層１０Ａ，１０Ｂが外側から更に押さえ付けられる結果となるため、結束糸１２による十分な結束力を効率的且つ効果的に得ることができ、結束部１０の固定強度が従来よりも飛躍的に向上する（構成釣針４Ａ，４Ｂ，４Ｃの軸方向及び周方向の移動が抑止され、所望の結束形態を維持できる）。
【００３６】
したがって、従来のように接着剤を多量に塗布する必要がなく、そのため、重量化を招かずに済み、また、外観を損ねることもない。また、前述した滑り止め効果により、特別な表面加工をしない釣針や塗装しただけの通常の釣針を含め、ニッケルめっきやフッ素めっき、その他の滑りの良い加工を表面に施した摩擦抵抗が極めて小さい釣針（構成釣針）を用いた場合であっても、結束糸１２の緩みや釣針の抜けが防止され、結束糸１２の巻回作業に手間取ることもない。
【００３７】
以上、本発明の実施形態について説明したが、本発明は、前述した実施形態に限定されず、その要旨を逸脱しない範囲で種々変形することが可能である。例えば、前述した実施形態では、本発明の釣針が例えば鮎釣りのイカリ針として形成されたが、本発明は、フグカットウ針や、ルアー用のトレブルフックなど、複数本の釣針を糸で結束して成る様々な釣針に適用できる。また、前述した実施形態では、３本の構成釣針を結束することにより釣針が形成されたが、結束されるべき構成釣針の本数は、２本以上であれば、何本でもよい。
【符号の説明】
【００３８】
２  釣糸
４  釣針
４Ａ，４Ｂ，４Ｃ  構成釣針
４ａ  軸部
１０  結束部
１０Ａ  第１の疎巻き巻回層
１０Ｂ  第２の疎巻き巻回層
１０Ｃ  密巻き巻回層
１２  結束糸
Ｓ，Ｓ’  隙間
【図１】
2018139512.tif 000003
【図２】
2018139512.tif 000004
【図３】
2018139512.tif 000005
【図４】
2018139512.tif 000006
【図５】
2018139512.tif 000007